【手続補正書】
【提出日】平成18年1月23日(2006.1.23)
【手続補正１】
【補正対象書類名】明細書
【補正対象項目名】００１２
【補正方法】変更
【補正の内容】
【００１２】
本発明では、一連の生産プロセスにおける製造ルートをポイントとなるサブプ
ロセスで分割し、製品の出荷（１−５）に近い製造ルートの後半部分を下流サブ
プロセス（１−２）とし、前部分を上流サブプロセス（１−１）とする。そして
、下流サブプロセス（１−２）と上流サブプロセス（１−１）の間に、中間バッ
ファとして、サプライチェーンバッファ（１−３）を設ける。
【手続補正２】
【補正対象書類名】明細書
【補正対象項目名】００１３
【補正方法】変更
【補正の内容】
【００１３】
このサプライチェーンバッファ（１−３）をコントロールするために、下流サ
ブプロセス（１−２）への要求数（注文数）より、図２に示すように、サプライ
チェーンバッファの消費計画（２−７、２−８、２−９）を算出し、あらかじめ
決定されている上流サブプロセス（１−１）のまとめ生産サイクルのうち消費計
画の最終ポイントの直前の生産サイクルを、ＪＩＴ供給期間（２−３）とする。
ＪＩＴ供給期間における上流サブプロセスの生産能力および材料在庫状況から、
ＪｌＴ供給期間中の生産機種ごとの生産開始ポイント（２−１７）、生産終了ポイ
ント（２−１８）、および、生産計画（２−６）が決定される。決定された生産機
種ごとのＪＩＴ供給期間中の生産期間（２−１２）と、生産機種ごとの生産計画（
生産予定線）つまりサプライチェーンバッファヘの補充計画とから、ＪｌＴ供給
期間開始時点での生産機種ごとの仕掛在庫レベルであるサプライチェーンバッフ
ァサイズレベル（２−１９）が決定される。
【手続補正３】
【補正対象書類名】明細書
【補正対象項目名】００１４
【補正方法】変更
【補正の内容】
【００１４】
ＪＩＴ供給期間以前のまとめ生産サイクルは、それぞれ補充期間（２−１、２
−２）として設定される。補充期間における上流サブプロセスの生産能力および
材料在庫状況から、補充期間の中での生産機種ごとの生産開始ポイント（２−１３
、２−１５）および生産終了ポイント（２−１４、２−１６）と生産計画（２−４、２
−５）が決定される。このとき、それぞれの補充期間の直後の補充期間あるいは
ＪＩＴ供給期間の開始時点におけるサプライチェーンバッファレベル（２−１９、
２−２０）を補充期間終了時点で確保するように補充期間開始時点での仕掛在庫レ
ベルであるサプライチェーンバッファサイズレベル（２−２０、２−２１）が決定さ
れる。
【手続補正４】
【補正対象書類名】明細書
【補正対象項目名】００１７
【補正方法】変更
【補正の内容】
【００１７】
サプライチェーンバッファの上流サブプロセスにおけるまとめ生産に使用する
品種グループを、生産効率を基準として設定し、マスタ登録する（４−１）。例
えば、設備での設定条件が同じもの、サイズの同じものなどを考慮して品種グル
ープを設定する。
【手続補正５】
【補正対象書類名】明細書
【補正対象項目名】００１８
【補正方法】変更
【補正の内容】
【００１８】
次いで、下流サブプロセスにおける製品とその製品が属する品種グループの関
係をマスタ登録する（４−２）。
【手続補正６】
【補正対象書類名】明細書
【補正対象項目名】００１９
【補正方法】変更
【補正の内容】
【００１９】
次いで、サプライチェーンバッファの上流サブプロセスにおけるまとめ生産で
使用される生産サイクル期間を決定し、その生産サイクル期間における品種グル
ープの生産順序を決定し、マスタ登録する（４−３）。
【手続補正７】
【補正対象書類名】明細書
【補正対象項目名】００２０
【補正方法】変更
【補正の内容】
【００２０】
次いで、サプライチェーンバッファの下流サブプロセスに対する要求数または
注文数を、要望データとして登録し、その要望データより作成された下流サブプ
ロセスの製品の生産計画から上流サブプロセスの品種グループに変換し、下流サ
ブプロセスへの品種グループ単位での投入計画、すなわち、サプライチェーンバ
ッファの消費計画（２−７、２−８、２−９）を算出する（４−４）。
【手続補正８】
【補正対象書類名】明細書
【補正対象項目名】００２１
【補正方法】変更
【補正の内容】
【００２１】
次いで、消費計画の最終ポイントを起点に時間軸での前（過去）方向に上流サ
ブプロセスの生産サイクルを設定し、最終の生産サイクルをＪＩＴ供給期間（２
−３）として設定する（４−５）。
【００２２】
次いで、ＪＩＴ供給期間における各品種グループの消費計画（２−９）を取得
する（４−６）。また、上流サブプロセスの生産能力および材料在庫状況を取得
する（４−７）。そして、取得されたＪＩＴ供給期間における各品種グループの
消費計画（２−９）と、上流サブプロセスの生産能力および材料在庫状況とから
、上流サブプロセスにおけるＪＩＴ供給期間中の各品種グループの生産開始ポイ
ント（２−１７）、生産終了ポイント（２−１８）、および、生産計画（２−６）を
、下流サブプロセスの生産が不足しないように、立案する（４−８）。このとき
、各品種グループの生産順序は事前に登録されている順序を採用する。
【手続補正９】
【補正対象書類名】明細書
【補正対象項目名】００２３
【補正方法】変更
【補正の内容】
【００２３】
次いで、ＪＩＴ供給期間中における各品種グループの生産開始ポイント、生産
終了ポイント、生産計画および消費計画より、各品種グループのＪＩＴ供給期間
開始時点でのサプライチェーンバッファレベル（２−１９）を算出する（４−９）
。
【手続補正１０】
【補正対象書類名】明細書
【補正対象項目名】００２４
【補正方法】変更
【補正の内容】
【００２４】
次いで、ＪＩＴ供給期間以前の生産サイクルを補充期間（２−２）として設定
する（４−１０）。補充期間以後は、ＪＩＴ供給期間か、あるいは、次の補充期間
が設定される。
【手続補正１１】
【補正対象書類名】明細書
【補正対象項目名】００２５
【補正方法】変更
【補正の内容】
【００２５】
次いで、補充期間中の各品種グループの消費計画（２−７、２−８）を取得す
る（４−ｌｌ）。また、上流サブプロセスの生産能力および材料在庫状況を取得す
る（４−１２）。また、続く生産サイクル（ＪＩＴ供給期間または補充期間）の開
始時点における各品種グループのサプライチェーンバッファレベル（２−１９）を
取得する（４−１３）。そして、取得された補充期間中の各品種グループの消費計
画（２−７、２−８）、上流サブプロセスの生産能力および材料在庫状況、およ
び、続く生産サイクル（ＪＩＴ供給期間または補充期間）の開始時点における各
品種グループのサプライチェーンバッファレベル（２−１９）から、上流サブプロ
セスにおける補充期間中の各品種グループの生産開始ポイント（２−１５）、生産
終了ポイント（２−１６）、および、生産計画（２−２５）を、下流サブプロセスの
生産に不足しないように、立案する（４−１４）。このとき、各品種グループの生
産順序は事前に登録されている順序を採用する。
【手続補正１２】
【補正対象書類名】明細書
【補正対象項目名】００２６
【補正方法】変更
【補正の内容】
【００２６】
補充期間中の各品種グループの生産開始ポイント（２−１５）、生産終了ポイン
ト（２−１６）、生産計画（２−５）、および、消費計画（２−８）より、各品種
グループの補充期間開始時点におけるサプライチェーンバッファレベル（２−２０
）を算出する（４−１５）。補充期間終了時点におけるサプライチェーンバッファ
レベルと、続く生産サイクル（ＪＩＴ供給期間もしくは補充期間）の開始時点に
おける各品種グループのサプライチェーンバッファレベルとは、同じレベルとな
る。
【手続補正１３】
【補正対象書類名】明細書
【補正対象項目名】００２７
【補正方法】変更
【補正の内容】
【００２７】
以降、現在の生産サイクル（２−１）に至るまで、過去方向に続く生産サイク
ルに対して同様の処理を繰り返すことにより、各生産サイクル開始時点における
各品種グループのサプライチェーンバッファレベル、および、上流サブプロセス
の生産計画（サプライチェーンバッファの補充計画）を決定する（４−１６）。